(57)【特許請求の範囲】
【請求項１】
クリーンルームなどの天井チャンバーやグレーティングパッドを構成する枠材に取付けられる火災感知器において、
該火災感知器と前記天井チャンバーやグレーティングパッドを構成する枠材との間に、前記火災感知器又は感知器ベースと同径で、上面に前記枠材と同じ幅の平坦な取付部及び該取付部の両側から下方かつ外周に向って傾斜した傾斜部が設けられた座板を介装したことを特徴とする火災感知器の取付構造。
【請求項２】
座板の取付部に、配線の挿通穴が設けられていることを特徴とする請求項１記載の火災感知器の取付構造。
【請求項３】
座板の取付部に、枠材への取付用ねじ穴及び感知器ベース取付用のねじ螺入穴が設けられていることを特徴とする請求項１又は２記載の火災感知器の取付構造。
【発明の詳細な説明】
【０００１】
【発明の属する技術分野】
本発明は、火災感知器の取付構造に係り、さらに詳しくは、室内に下向き垂直層流が形成されるクリーンルームなどに設置される火災感知器の取付構造に関するものである。
【０００２】
【従来の技術】
図５はクリーンルームの概念図である。周知のように、クリーンルーム２０は、室内の上部に例えばＣ形チャンネルからなり、開口部を下にして板材により開口部を閉塞した枠材２２を格子状に組込んで設置し、これら枠材２２の上にフィルタ２４を配設して通気性を有する天井壁２１（フィルタ面）を構成したもので、天井壁２１の上には天井チャンバー２５が形成されている。また、室内の下部には通気性を有する床２６が設けられており、床２６の下には排気風路２７が形成されている。２８は空気調和機、送風機等（図示せず）が設置された空調室である。なお、空調用のユニットは、フィルタ２４の上部に設ける場合もある。
【０００３】
空調室２８によって清浄化された外気は天井チャンバー２５に送られ、フィルタ２４を通り、下向き垂直層流となってクリーンルーム２０内に入り、床２６から排気風路２７を経て空調室２８に流入し、外気とミックスされて清浄化され、再び天井チャンバー２５に流入する。このようにして、クリーンルーム２０内には、常に清浄な空気が循環する。
このようなクリーンルーム２０においては、天井壁２１に設けた枠材２２内には電気配線が配設されており、枠材２２の下面に装着した照明器具や火災感知器が接続されている。
【０００４】
図６は従来のクリーンルーム２０の天井壁２１を構成する枠材２２に、火災感知器１を取付けた状態を示す模式図で、２２は枠材、２３は枠材２２の下部開口部を閉塞する板材（以下、枠材２２と板材２３を合わせて、枠材という）。２４は枠材２２の上に設置されたフィルタ（例えば、ＨＥＰＡフィルタ）である。
１は本体２と感知器ベース３からなる熱感知器、煙感知器の如き火災感知器で、その感知器ベース３が枠材２２に固定されており、枠材２２内に配設された電気配線が例えばベース３に設けた刃受金具に接続され、この刃受金具に、本体２に設けた刃金具が着脱自在に接続されて、電気的、機械的に接続される（これらは、いずれも図示されていない）。
【０００５】
上記のような火災感知器１は、例えばクリーンルーム２０内に火災が発生すると、これを感知して火災受信機等に火災信号を送信する。これを受けた火災受信機は、火災の発生を確認して例えば消火ガスボンベの開閉弁を開放し、クリーンルーム２０内に消火ガスを放出し、消火する。
【０００６】
【発明が解決しようとする課題】
上記のようなクリーンルーム２０に設置した火災感知器１においては、図６に示すように、天井チャンバー２５からの清浄空気は、フィルタ２４を通って矢印で示すように下向きの垂直層流となってクリーンルーム２０内に流入するため、枠材２２の両側からクリーンルーム２０に流入した清浄空気が、枠材２２の両側にはみ出した火災感知器１の感知器ベース３の肩部３ａ，３ｂに衝突する。このため、清浄空気の流れが乱流になるばかりでなく、長期の間にはこの部分にフィルタ２４を通過した微細な塵埃がたまるおそれがあり、好ましくない。
【０００７】
本発明は、上記の課題を解決するためになされたもので、クリーンルームなどにおいて、室内に流入する空気流が乱されることなく層流を維持することができ、かつ火災感知器の上面に微細な塵埃がたまることのない火災感知器の取付構造を提供することを目的としたものである。
【０００８】
【課題を解決するための手段】
本発明に係る火災感知器の取付構造は、クリーンルームなどの天井チャンバーやグレーティングパッドを構成する枠材に取付けられる火災感知器において、該火災感知器と前記天井チャンバーやグレーティングパッドを構成する枠材との間に、前記火災感知器又は感知器ベースと同径で、上面に前記枠材と同じ幅の平坦な取付部及び該取付部の両側から下方かつ外周に向って傾斜した傾斜部が設けられた座板を介装したものである。
【０００９】
また、上記の座板の取付部に、配線の挿通穴を設け、さらに、この取付部に、枠材への取付用のねじ穴及び感知ベース取付用のねじ螺入穴を設けたものである。
【００１０】
【発明の実施の形態】
図１は本発明に係る火災感知器の取付構造の一実施の形態の模式図、図２は一部を省略して示した図１のＡ−Ａ断面図である。
両図において、１は本体２と感知器ベース３からる火災感知器、２２は天井壁２１を構成する例えばＣ形チャンネルからなる枠材、２４は枠材２２上に設置されたフィルタである。なお、枠材２２の下面には枠材２２内に配設された電気配線を引き出すための引出し穴２２ａが設けられている。
【００１１】
１０は例えばチラコン樹脂の如き塵埃が付着しにくい合成樹脂材からなる座板で、その一例を図３、図４に示す。１１は火災感知器１又は感知器ベース３の外径Ｄ1と等しい外径Ｄ2の円盤状の本体で、その上面中央部の直径方向には、枠材２２の幅Ｗ1と等しい幅Ｗ2の平坦な取付部１２が形成されており、取付部１２の両側には下方に向って傾斜した傾斜部１４ａ，１４ｂが設けられている。１５は中心部に設けられて電気配線が挿通される電線挿通穴、１６ａ，１６ｂは取付部１２の長手方向において電線挿通穴１５の両側に設けられたねじ挿通穴、１７ａ，１７ｂはねじ挿通穴１６ａ，１６ｂの外周側に設けられて底面１３に開口するねじ螺入穴である。
【００１２】
上記の電線挿入穴１５、ねじ挿通穴１６ａ，１６ｂ及びねじ螺入穴１７ａ，１７ｂを設ける位置はこれに限定するものではなく、取付部１２上においてその位置を適宜変更することができる。また、ねじ挿通穴１６ａ，１６ｂに代えてねじ穴を設けてもよく、さらに、ねじ螺入穴１７ａ，１７ｂに代えて、ねじ穴又はねじ挿通穴を設けてもよい。
【００１３】
上記のような座板１０を用いて火災感知器１を枠材２２に取付けるには、図２に示すように、先ず座板１０の取付部１２を枠材２２と平行にして枠材２２の下面に当接し、その電線挿通穴１５を引出し穴２２ａに整合させる。そして、座板１０の下面からねじ挿通穴１６ａ，１６ｂに挿通したねじ２９を枠材２２に設けたねじ穴に螺入し、固定する。
ついで、感知器ベース３を座板１０の底面１３に当接し、その底部４に設けた開口部５を座板１０の電線挿通穴１５と整合させる。そして、底部４に設けたねじ挿通穴６に挿通したねじ９を座板１０のねじ螺入穴１７ａ，１７ｂに螺入し、固定する。
【００１４】
この状態で枠材２２内に配設された電気配線３０を引出し穴２２ａ及び電線挿通穴１５から感知器ベース３内に引出し、感知器ベース３の底部４に設けた刃受金具７に接続する。
そして、本体２をベース３の下面に当接して回動し、本体２に設けた刃金具８をベース３の刃受金具７に係合させれば、本体１はベース２に電気的に接続され、かつその位置に固定される。
火災発生時における火災感知器１の作用及び消火作用は、従来技術の場合と同様である。
【００１５】
上記のように構成した本発明の取付構造によれば、火災感知器１の座板１０の枠材２２の両側にはみ出した部分は、下向に傾斜した傾斜部１４ａ，１４ｂで形成されているので、天井チャンバー２５からクリーンルーム２０に流入する空気流は、ほとんど流れを乱されることがなく、層流を維持することができる。
また、座板１０の傾斜部１４ａ，１４ｂ上には、傾斜に沿って下方に向って絶えず空気が流れるため、フィルタ２４を通り抜けた微細な塵埃がたまることもない。
【００１６】
上記の説明では、本発明に係る火災感知器の取付構造をクリーンルームに実施した場合を示したが、本発明はこれに限定するものではなく、天井壁から垂直層流が流入するような室にも実施することができる。
【００１７】
なお、クリーンルームにおいては、一搬に、クリーンルームの下部の底部から所定の高さで隔離されてグリッドビーム（枠材）が設けられており、このグリッドビームの上側には、多数の孔を有するグレーティングパッドが設置される。
そこで、このグレーティングパッドの下部又はグリッドビームに、座板を介して火災感知器を設置して、排気通路に流れ込む気流中の煙や熱を検知させるようにしてもよい。
このようにすると、フィルタの影響を受けず、また、気流が下向き垂直気流であることから、天井側に火災感知器を設置する場合に比べて、火災の検知が早くなる。
【００１８】
【発明の効果】
本発明に係る火災感知器の取付構造は、クリーンルームなどの天井チャンバーやグレーティングパッドを構成する部材に取付けられる火災感知器において、この火災感知器と天井チャンバーやグレーティングパッドを構成する部材との間に、火災感知器又は感知器ベースと同径で、上面に枠材と同じ幅の平坦な取付部及びこの取付部の両側から下方かつ外周に向って傾斜した傾斜部が設けられた座板を介装したので、天井チャンバーからクリーンルームに流入する空気流は、ほとんど流れを乱されることなく層流を維持することができる。
また、座板の傾斜部上には、傾斜に沿って下方に向って絶えず空気が流れるため、フィルタを通り抜けた微細な塵埃がたまることもない。
【００１９】
また、上記の座板の取付部に、配線の挿通穴を設け、さらに、この取付部に枠材への取付用のねじ穴及び感知器ベース用のねじ螺入穴を設けたので、枠材内に配設された電気配線を容易に感知器ベース内に引き出すことができ、また、座板を確実に枠体に取付け、感知器ベースを確実に座板に取付けることができる。
【図面の簡単な説明】
【図１】  本発明の一実施の形態に係る火災感知器の取付構造を示す模式図である。
【図２】  図１の一部を省略したＡ−Ａ断面図である。
【図３】  図１の座板の正面図である。
【図４】  図３の平面図である。
【図５】  クリーンルームの概念図である。
【図６】  従来の火災感知器の枠材への取付構造を示す模式図である。
【符号の説明】
１  火災感知器、２  本体、３  感知器ベース、１０  座板、１２  取付部、１４ａ，１４ｂ  傾斜部、１５  電線挿通穴、１６ａ，１６ｂ  ねじ挿通穴、１７ａ，１７ｂ  ねじ螺入穴、２０  クリーンルーム、２１  枠材、２４  フィルタ、２５  天井チャンネル。
【図１】
0004032278.tif 000002
【図２】
0004032278.tif 000003
【図３】
0004032278.tif 000004
【図４】
0004032278.tif 000005
【図５】
0004032278.tif 000006
【図６】
0004032278.tif 000007